(57)【要約】【課題】詳細な質の高いコンテンツを広告表示端末に表示／再生させ、同時にコンテンツに関連する各種情報をユーザの携帯端末に提供する。【解決手段】ユーザは、街頭、駅の広告表示端末装置２０に動画広告が表示されている状況で、広告表示端末装置２０の表示画面に表示されているＵＲＬを参照して、携帯電話もしくは携帯端末装置３０でアクセスし、その際に、広告表示端末装置２０内に表示されているアクセスキーを入力すると、広告表示端末装置２０で再生可能な動画広告のリストが携帯端末装置３０に表示される。そのリストの中から、ユーザが閲覧したい動画広告を選択すると、その選択した動画広告が広告表示端末装置２０で再生され、携帯端末装置３０側には、その動画広告に関連する情報へのリンクが表示される。【選択図】　図１
2004021919.tif 000002
【特許請求の範囲】
【請求項１】
広告情報を取得するためのアクセス先およびアクセスキーを表示する広告端末と、
前記アクセス先に基づいてネットワークを介してアクセスしてきた携帯端末から送信されたアクセスキーに基づいて前記広告端末の設置場所および広告内容を特定し、前記設置場所および広告内容に関連する関連情報を、前記広告端末および前記携帯端末に送信するサーバと
を具備することを特徴とする広告情報提供システム。
【請求項２】
広告情報を提供するサーバへのアクセス先およびアクセスキーを広告端末に表示し、
前記サーバでは、前記アクセス先に基づいてネットワークを介してアクセスしてきた携帯端末から送信されたアクセスキーに基づいて前記広告端末の設置場所および広告内容を特定し、前記設置場所および広告内容に関連する関連情報を、前記広告端末および前記携帯端末に送信することを特徴とする広告情報提供方法。
【請求項３】
携帯端末からアクセスがあると、アクセスキーを受信し、
前記アクセスキーから前記広告端末の設置場所および広告内容を特定し、
前記設置場所および広告内容に関連する関連情報を、前記広告端末および前記携帯端末に送信することを特徴とする広告情報提供方法。
【請求項４】
携帯端末からアクセスがあると、アクセスキーを受信し、前記アクセスキーから前記広告端末の設置場所および広告内容を特定する携帯端末通信管理手段と、
前記広告内容に関連する関連情報を、前記広告端末および前記携帯端末に送信する広告表示端末通信管理手段と
を具備することを特徴とする広告情報提供サーバ。
【請求項５】
前記携帯通信管理手段は、前記広告端末の設置場所に関連する関連情報を、前記広告端末および前記携帯端末に送信することを特徴とする請求項４記載の広告情報提供サーバ。
【請求項６】
携帯端末からアクセスがあると、アクセスキーを受信するステップと、
前記アクセスキーから前記広告端末の設置場所および広告内容を特定するステップと、
前記広告内容に関連する関連情報を、前記広告端末および前記携帯端末に送信するステップと
をコンピュータに実行させることを特徴とする広告情報提供プログラム。
【請求項７】
さらに、前記広告端末の設置場所に関連する関連情報を、前記広告端末および前記携帯端末に送信するステップをコンピュータに実行させることを特徴とする請求項６記載の広告情報提供プログラム。
【請求項８】
携帯端末からアクセスがあると、アクセスキーを受信するステップと、
前記アクセスキーから前記広告端末の設置場所および広告内容を特定するステップと、
前記広告内容に関連する関連情報および前記広告端末の設置場所に関連する関連情報を、前記広告端末および前記携帯端末に送信するステップと
をコンピュータに実行させる広告情報提供プログラムを記録したことを特徴とする記録媒体。
【請求項９】
広告情報を表示する一方、携帯端末との通信を確立し、前記携帯端末からの指示を受信する広告端末と、
前記広告端末からの前記指示に基づいて、前記広告情報の広告内容を特定し、該広告内容に関連する関連情報を、前記広告端末を介して、前記携帯端末へ送信するサーバと
を具備することを特徴とする広告情報提供システム。
【請求項１０】
広告端末に広告情報を表示し、
前記広告端末により携帯端末との通信を確立し、前記携帯端末からの指示を受信し、
前記広告端末からの前記指示に基づいて、前記広告情報の広告内容を特定し、該広告内容に関連する関連情報を、前記広告端末を介して、前記携帯端末へ送信することを特徴とする広告情報提供方法。
【請求項１１】
広告情報を表示している広告端末からの要求に基づいて、前記広告情報の広告内容を特定し、該広告内容に関連する関連情報を、前記広告端末を介して、前記広告端末と通信を確立した携帯端末に送信する管理手段を具備することを特徴とする広告情報提供サーバ。
【請求項１２】
前記管理手段は、広告情報を表示している広告端末からの要求に基づいて、前記広告端末の設置場所を特定し、該設置場所に関連する関連情報を、前記広告端末を介して、前記広告端末と通信を確立した携帯端末に送信することを特徴とする請求項１１記載の広告情報提供サーバ。
【請求項１３】
広告情報を表示している広告端末からの要求に基づいて、前記広告情報の広告内容を特定し、該広告内容に関連する関連情報を、前記広告端末を介して、前記広告端末と通信を確立した携帯端末に送信することを特徴とする広告情報提供方法。
【請求項１４】
広告情報を表示している広告端末からの要求に基づいて、前記広告端末の設置場所を特定し、該設置場所に関連する関連情報を、前記広告端末を介して、前記広告端末と通信を確立した携帯端末に送信することを特徴とする請求項１３記載の広告情報提供方法。
【請求項１５】
広告情報を表示している広告端末からの要求に基づいて、前記広告情報の広告内容を特定するステップと、
前記広告内容に関連する関連情報を、前記広告端末を介して、前記広告端末と通信を確立した携帯端末に送信するステップと
をコンピュータに実行させることを特徴とする広告情報提供プログラム。
【請求項１６】
広告情報を表示している広告端末からの要求に基づいて、前記広告端末の設置場所を特定するステップと、
前記設置場所に関連する関連情報を、前記広告端末を介して、前記広告端末と通信を確立した携帯端末に送信するステップと
をコンピュータに実行させることを特徴とする請求項１５記載の広告情報提供プログラム。
【請求項１７】
広告情報を表示している広告端末からの要求に基づいて、前記広告端末の設置場所および前記広告情報の広告内容を特定するステップと、前記広告端末の設置場所および前記広告内容に関連する関連情報を、前記広告端末を介して、前記広告端末と通信を確立した携帯端末に送信するステップと
をコンピュータに実行させる広告情報提供プログラムを記録したことを特徴とする記録媒体。
【発明の詳細な説明】
【０００１】
【発明の属する技術分野】
本発明は、街頭、駅等の公共の場所、あるいは列車やバス等の公共の乗り物向けの広告情報端末装置、およびユーザが持つ携帯電話やＰＤＡ（Ｐｅｒｓｏｎａｌ　Ｄｉｇｉｔａｌ　Ａｓｓｉｓｔａｎｔｓ）等の携帯端末装置に詳細な広告情報を提供する広告情報提供システム、広告情報提供方法、広告情報提供サーバ、広告情報提供プログラムおよび記録媒体に関する。
【０００２】
【従来の技術】
従来、街頭、駅および車内向けの電子的な広告情報提供システムでは、街頭、駅などの公共の場所、あるいは列車やバス等の車内に設置された電子的なディスプレイ（以下、広告表示端末と呼ぶ）に広告を表示し、ユーザにその閲覧を促していた。また、その広告表示の中に、インターネット上のＷＷＷ（Ｗｏｒｌｄ　Ｗｉｄｅ　Ｗｅｂ）サーバアドレス（以下、ＵＲＬと呼ぶ）を記載し、それぞれユーザに閲覧を促していた。もしくは、街頭や駅などにユーザが操作可能な端末（以下、キオスク端末と呼ぶ）を設置し、ユーザがそれを操作することで、必要な情報が取り出せる仕組みになっていた。
【０００３】
【発明が解決しようとする課題】
しかしながら、従来の街頭、駅および車内向け広告情報提供システムでは、単に街頭や駅、あるいは車内で電子的なディスプレイで広告情報を提供するのみであったため、ユーザが望む適切な広告情報を提供するのは困難であった。
【０００４】
また、広告表示端末にＵＲＬを表示し、それをユーザの携帯端末に入力させる、もしくは広告表示端末とユーザの携帯端末との間で赤外線や無線を通して通信できる仕組みがあれば、それを使用してユーザの携帯端末にＵＲＬを渡すことで、ユーザが携帯端末を使用して望む情報を得ることができるが、現状の携帯端末は、詳細な地図や映画の予告編のような質の高いコンテンツを表示したり／再生したりするためには、能力が不足しているのが現状である。
【０００５】
一方、街頭、駅に設置されたキオスク端末では、キオスク端末をユーザが操作することで、ユーザが望む情報を閲覧することが可能であるが、得た情報を他の場所でも見ることは原則不可能であり、キオスク端末に印刷機が附属している場合にのみ、印刷された紙という限定した形でのみでしか実現できなかった。
【０００６】
また、街頭、駅に設置されたキオスク端末では、店舗等の予約や、映画等の上演スケジュールの確認、混み具合等の時々刻々変化する状況を把握することができるが、一度キオスク端末前から離れてしまうと、そのサービスを提供できないという問題もある。
【０００７】
この発明は上述した事情に鑑みてなされたもので、ユーザが公共の場所に設置される広告表示端末をユーザの持つ携帯電話やＰＤＡ等の携帯端末装置で操作することで、広告表示端末には、詳細な地図や映画の予告編などの質の高いコンテンツを表示／再生させ、同時にユーザの携帯端末には、簡易な地図、クーポン券、上演スケジュール、予約用のＷｅｂページヘのリンクなどの各種情報を提供することができる広告情報提供システム、広告情報提供方法、広告情報提供サーバ、広告情報提供プログラムおよび記録媒体を提供することを目的とする。
【０００８】
【課題を解決するための手段】
上述した問題点を解決するために、請求項１記載の発明では、広告情報を取得するためのアクセス先およびアクセスキーを表示する広告端末と、前記アクセス先に基づいてネットワークを介してアクセスしてきた携帯端末から送信されたアクセスキーに基づいて前記広告端末の設置場所および広告内容を特定し、前記設置場所および広告内容に関連する関連情報を、前記広告端末および前記携帯端末に送信するサーバとを具備することを特徴とする。
【０００９】
また、上述した問題点を解決するために、請求項２記載の発明では、広告情報を提供するサーバへのアクセス先およびアクセスキーを広告端末に表示し、前記サーバでは、前記アクセス先に基づいてネットワークを介してアクセスしてきた携帯端末から送信されたアクセスキーに基づいて前記広告端末の設置場所および広告内容を特定し、前記設置場所および広告内容に関連する関連情報を、前記広告端末および前記携帯端末に送信することを特徴とする。
【００１０】
また、上述した問題点を解決するために、請求項３記載の発明では、携帯端末からアクセスがあると、アクセスキーを受信し、前記アクセスキーから前記広告端末の設置場所および広告内容を特定し、前記設置場所および広告内容に関連する関連情報を、前記広告端末および前記携帯端末に送信することを特徴とする。
【００１１】
また、上述した問題点を解決するために、請求項４記載の発明では、携帯端末からアクセスがあると、アクセスキーを受信し、前記アクセスキーから前記広告端末の設置場所および広告内容を特定する携帯端末通信管理手段と、前記広告内容に関連する関連情報を、前記広告端末および前記携帯端末に送信する広告表示端末通信管理手段とを具備することを特徴とする。
【００１２】
また、請求項５記載の発明では、請求項４記載の広告情報提供サーバにおいて、前記携帯通信管理手段は、前記広告端末の設置場所に関連する関連情報を、前記広告端末および前記携帯端末に送信することを特徴とする。
【００１３】
また、上述した問題点を解決するために、請求項６記載の発明では、携帯端末からアクセスがあると、アクセスキーを受信するステップと、前記アクセスキーから前記広告端末の設置場所および広告内容を特定するステップと、前記広告内容に関連する関連情報を、前記広告端末および前記携帯端末に送信するステップとをコンピュータに実行させることを特徴とする。
【００１４】
また、請求項７記載の発明では、請求項６記載の広告情報提供プログラムにおいて、さらに、前記広告端末の設置場所に関連する関連情報を、前記広告端末および前記携帯端末に送信するステップをコンピュータに実行させることを特徴とする。
【００１５】
また、上述した問題点を解決するために、請求項８記載の発明では、携帯端末からアクセスがあると、アクセスキーを受信するステップと、前記アクセスキーから前記広告端末の設置場所および広告内容を特定するステップと、前記広告内容に関連する関連情報および前記広告端末の設置場所に関連する関連情報を、前記広告端末および前記携帯端末に送信するステップとをコンピュータに実行させる広告情報提供プログラムを記録したことを特徴とする。
【００１６】
また、上述した問題点を解決するために、請求項９記載の発明では、広告情報を表示する一方、携帯端末との通信を確立し、前記携帯端末からの指示を受信する広告端末と、前記広告端末からの前記指示に基づいて、前記広告情報の広告内容を特定し、該広告内容に関連する関連情報を、前記広告端末を介して、前記携帯端末へ送信するサーバとを具備することを特徴とする。
【００１７】
また、上述した問題点を解決するために、請求項１０記載の発明では、広告端末に広告情報を表示し、前記広告端末により携帯端末との通信を確立し、前記携帯端末からの指示を受信し、前記広告端末からの前記指示に基づいて、前記広告情報の広告内容を特定し、該広告内容に関連する関連情報を、前記広告端末を介して、前記携帯端末へ送信することを特徴とする。
【００１８】
また、上述した問題点を解決するために、請求項１１記載の発明では、広告情報を表示している広告端末からの要求に基づいて、前記広告情報の広告内容を特定し、該広告内容に関連する関連情報を、前記広告端末を介して、前記広告端末と通信を確立した携帯端末に送信する管理手段を具備することを特徴とする。
【００１９】
また、請求項１２記載の発明では、請求項１１記載の広告情報提供サーバにおいて、前記管理手段は、広告情報を表示している広告端末からの要求に基づいて、前記広告端末の設置場所を特定し、該設置場所に関連する関連情報を、前記広告端末を介して、前記広告端末と通信を確立した携帯端末に送信することを特徴とする。
【００２０】
また、上述した問題点を解決するために、請求項１３記載の発明では、広告情報を表示している広告端末からの要求に基づいて、前記広告情報の広告内容を特定し、該広告内容に関連する関連情報を、前記広告端末を介して、前記広告端末と通信を確立した携帯端末に送信することを特徴とする。
【００２１】
また、請求項１４記載の発明では、請求項１３記載の広告情報提供方法において、広告情報を表示している広告端末からの要求に基づいて、前記広告端末の設置場所を特定し、該設置場所に関連する関連情報を、前記広告端末を介して、前記広告端末と通信を確立した携帯端末に送信することを特徴とする。
【００２２】
また、上述した問題点を解決するために、請求項１５記載の発明では、広告情報を表示している広告端末からの要求に基づいて、前記広告情報の広告内容を特定するステップと、前記広告内容に関連する関連情報を、前記広告端末を介して、前記広告端末と通信を確立した携帯端末に送信するステップとをコンピュータに実行させることを特徴とする。
【００２３】
また、請求項１６記載の発明では、請求項１５記載の広告情報提供プログラムにおいて、広告情報を表示している広告端末からの要求に基づいて、前記広告端末の設置場所を特定するステップと、前記設置場所に関連する関連情報を、前記広告端末を介して、前記広告端末と通信を確立した携帯端末に送信するステップとをコンピュータに実行させることを特徴とする。
【００２４】
また、上述した問題点を解決するために、請求項１７記載の発明では、広告情報を表示している広告端末からの要求に基づいて、前記広告端末の設置場所および前記広告情報の広告内容を特定するステップと、前記広告端末の設置場所および前記広告内容に関連する関連情報を、前記広告端末を介して、前記広告端末と通信を確立した携帯端末に送信するステップとをコンピュータに実行させる広告情報提供プログラムを記録したことを特徴とする。
【００２５】
この発明では、広告端末で、広告情報を取得するためのアクセス先およびアクセスキーを表示し、該広告端末を見たユーザが、携帯端末により、前記アクセス先に基づいてネットワークを介してアクセスし、アクセスキーを入力すると、サーバでは、アクセスキーに基づいて前記広告端末の設置場所および広告内容を特定し、前記設置場所および広告内容に関連する関連情報を、前記広告端末および前記携帯端末に送信する。したがって、ユーザが公共の場所に設置される広告表示端末をユーザの持つ携帯電話やＰＤＡ等の携帯端末装置で操作することで、広告表示端末には、詳細な地図や映画の予告編などの質の高いコンテンツを表示／再生させ、同時にユーザの携帯端末には、簡易な地図、クーポン券、上演スケジュール、予約用のＷｅｂページヘのリンクなどの各種情報を提供することが可能となる。
【００２６】
【発明の実施の形態】
以下、図面を用いて本発明の実施の形態を説明する。
Ａ．第１実施形態
図１は、本発明の第１実施形態による広告情報提供システムの構成を示すブロック図である。本第１実施形態では、ユーザが広告表示端末に所望する情報を表示させるために、ユーザの携帯端末から広告サーバにアクセスする形態について説明する。図１において、本システムは、広告サーバ１０、広告表示端末装置２０、携帯端末装置３０とが、例えばインターネット４０のようなネットワークを介して接続される構成になっている。
【００２７】
次に、図２は、本第１実施形態による広告サーバ１０の構成例を示すブロック図である。図において、広告サーバ１０は、広告表示端末通信管理部１０１、スケジュール及びアクセスキー生成部１０２、携帯端末通信管理部１０３、広告ＤＢ１０４、オペレーティングシステム（ＯＳ）１０５から構成されている。広告表示端末通信管理部１０１は、スケジュール生成＆アクセスキー生成部１０２からの予告編の新たな再生スケジュールを広告表示端末装置２０に送信する。広告ＤＢ１０４は、映画の予告編リスト、映画を上映している映画館の情報などを蓄積している。スケジュール＆アクセスキー生成部１０２は、映画の上演スケジュールおよびアクセスキーを生成する。携帯端末通信管理部１０３は、携帯端末装置３０との間で、アクセスキーの入力を促す画面の送信、アクセスキーの受信、アクセスキーの正誤判定、映画の予告編のリストの送信、ユーザに選択された映画を上映している映画館の映画館への地図、その映画館での選択された映画の上演スケジュール、その映画館の指定席の予約へのリンクを持つＷｅｂページの生成・送信などを行なう。スケジュール生成＆アクセスキー生成部１０２は、選択された予告編を再生するスケジユールを生成する。
【００２８】
次に、図３は、上述した広告サーバ１０の動作を説明するためのフローチャートである。広告サーバ１０は、まず、一定時間毎にアクセスキーを生成し、広告表示端末装置２０に送信する（ステップＳ１）。次に、携帯端末装置３０からアクセスがあったか否かを判断し（ステップＳ２）、アクセスがあるまで、ステップＳ１でアクセスキーの送信を継続する。一方、携帯端末装置３０からアクセスがあると、アクセスキー入力画面を携帯端末装置３０に送信する（ステップＳ３）。
【００２９】
次に、携帯端末装置３０から正しいアクセスキーが入力されたか否かを判断し（ステップＳ４）、正しいアクセスキーが入力されると、アクセスキーから広告表示端末を特定し（ステップＳ５）、予告編リストを携帯端末装置３０に送信する（ステップＳ６）。
【００３０】
次に、予告編の入力があったか否かを判断し（ステップＳ７）、予告編の入力があると、広告表示端末装置２０に入力された予告編を再生するスケジュールを送信する（ステップＳ８）。そして、携帯端末に地図、上映スケジュール、指定席予約のリンクページを送信し（ステップＳ９）、当該処理を終了する。
【００３１】
次に、本第１実施形態の具体例について説明する。ユーザが街頭、駅の広告表示端末装置２０に動画広告（例えば、映画の予告編や、店舗等のＣＭ等）が表示されている状況で、ユーザが広告表示端末装置２０の表示画面に表示されているＵＲＬを参照して、携帯電話もしくは携帯端末装置３０でアクセスし、その際に、広告表示端末装置２０内に表示されているアクセスキーを入力すると、広告表示端末装置２０で再生可能な動画広告のリストが携帯端末装置３０に表示される。そのリストの中から、ユーザが閲覧したい動画広告を選択すると、その選択した動画広告が広告表示端末装置２０で再生され、携帯端末装置３０側には、その動画広告に関連する情報へのリンクが表示される。
【００３２】
例えば、広告として広告表示端末装置２０に映画の予告編が流れている場合には、その映画を上演している映画館への地図、上演スケジュール、指定席の予約などの各Ｗｅｂページヘのリンクが携帯端末装置３０側に表示される。また、広告として店舗のＣＭが流れている場合には、店舗への地図、店の詳しい紹介、予約の各Ｗｅｂページヘのリンクが表示される。そこで、映画の予告編が広告表示端末装置２０に表示されている場合に、上演スケジュールを確認する場合の実施例を示す。
【００３３】
ユーザは、街頭もしくは駅で広告表示端末装置２０を閲覧する。ここで、広告表示端末装置２０の表示例を図４に示す。広告表示端末装置２０は、広告サーバ１０のスケジュール＆アクセスキー生成部１０２で生成されたスケジュールに従って、複数ある映画の予告編を再生していく、また、同じくスケジュール及びアクセスキー生成部１０２で生成されたアクセスキーを適宜更新していく。このアクセスキーは、広告端末識別番号とその生成時の時刻とに基づいて生成される。これは、アクセスキーを適宜変更することで、広告表示端末装置２０の前にいないユーザからの操作を防ぐ役目をする。
【００３４】
ユーザは、広告中に記述されているサーバアドレス（ｈｔｔｐ：／／ｗｗｗ．ａｂｃ．ｃｏｍ／）で示された広告サーバ１０へ、ユーザの持つ携帯電話もしくは携帯端末装置３０からアクセスを行う。広告サーバ１０の携帯端末通信管理部１０３は、アクセスキーの入力を促す画面をユーザの携帯端末装置３０へ送信する。広告サーバ１０ヘアクセスした際の、携帯端末装置３０の画面表示例を図５に示す。ユーザは、アクセスキー（１２３４５６７８）を入力し、広告サーバ１０の携帯端末通信管理部１０３に送信する。
【００３５】
広告サーバ１０の携帯端末通信管理部１０３は、アクセスキーを受信し、そのアクセスキーが広告表示端末装置２０に表示されているものと一致するかの判定を行い、一致しているのなら、アクセスキーから、広告端末識別記号を抽出する。その一方、携帯端末装置３０に、再生できる映画の予告編のリストを渡す。その表示例を図６に示す。
【００３６】
ユーザは、図６に示された予告編のリストから自分の見たいものを選択し、広告サーバ１０の携帯端末通信管理部１０３に送信する。携帯端末通信管理部１０３は、選択された予告編をスケジュール生成＆アクセスキー生成部１０２に送信する。スケジュール生成＆アクセスキー生成部１０２は、選択された予告編をすぐに再生するスケジユールを生成し、広告表示端末通信管理部１０１を通して広告表示端末装置２０に新たなスケジュールを送信し、広告表示端末装置２０は、そのスケジュールに従って再生を行う。もしくは、広告表示端末装置２０は、定期的に広告サーバ１０に対してポーリングを行い、スケジュールが更新されたかどうか、広告表示端末通信管理部１０１を通してチェックし、スケジュールが更新されたならそれに従って再生を行う。
【００３７】
例えば、予告編Ａ，Ｂ，Ｃ，Ｄが広告表示端末装置２０に再生されることになっており、Ａ→Ｂ→Ｃ→Ｄ→Ａ…というスケジュールで再生しているときに、予告編Ｃの再生リクエストが来た場合、Ｃ→Ａ→Ｂ→Ｃ→Ｄ→Ａ…というスケジュールを生成する。そのため、予告編Ｃがすぐに再生される。
【００３８】
同時に、携帯端末情報管理部１０３は、ユーザが閲覧している広告表示端末装置２０から一番近くにある、ユーザが選択した映画を上映している映画館を、広告ＤＢ１０４から検索し、その映画館への地図、その映画館での選択された映画の上演スケジュール、その映画館の指定席の予約へのリンクを持つＷｅｂページを生成し、携帯端末装置３０へ送信する。この図の例を図７に示す。
【００３９】
ユーザが選択した映画の予告編が広告表示端末装置２０で再生されるので、それを鑑賞した後、映画の内容が気に入ったならば、携帯端末装置３０に図７に示すように表示されているので、そこから、上演スケジュールのリンクを選択すると、当日の上演スケジュールを見ることができる。また、すぐその場で見る必要はなく、図７に示すページを保存しておき、近辺で所用を済ませた後、映画を見る余裕ができたときに参照することも可能である。
【００４０】
Ｂ．第２実施形態
次に、本発明の第２実施形態について説明する。図８は、本第２実施形態による広告情報提供システムの構成を示すブロック図である。本第２実施形態では、ユーザが広告表示端末に所望する情報を表示させるために、ユーザの携帯端末と広告表示端末が直接無線もしくは赤外線で通信を行う形態を説明する。本広告情報提供システムは、広告サーバ１０と広告表示端末装置２０が、例えばインターネット４０のようなネットワークを介して接続され、さらに広告表示端末装置２０と携帯端末装置３０が無線もしくは赤外線で通信できる構成になっている。
【００４１】
次に、図９は、本第２実施形態を実現するための広告サーバ１０と広告表示端末装置２０の構成例を示すブロック図である。図において、１０１は広告表示端末通信管理部、１０４は広告ＤＢ、１０５はＯＳを表している。また、２０１は広告表示部、２０２はスケジュール生成部、２０３は携帯端末通信管理部、２０４は、表示サーバ通信管理部、２０５はＯＳを表している。
【００４２】
以下、第２実施形態として、第１実施形態と同じ状況下で実施した場合について示す。ユーザは、街頭もしくは駅で広告表示端末装置２０を閲覧する。ここで、広告表示端末装置２０の表示例を図１０に示す。広告表示端末装置２０は、スケジュール生成部２０２で生成されたスケジュールに従って映画の予告編を再生していく。ユーザは、携帯端末装置３０の無線／赤外線の通信開始ボタンを押すことで、広告表示端末装置２０との通信を確立する。その結果、広告表示端末装置２０の携帯端末通信管理部２０３と通信することで、ユーザの持つ携帯端末装置３０には、図６に示すような再生可能な映画の予告編のリストが表示される。
【００４３】
ユーザは、図６に示された予告編のリストから自分の見たいものを選択し、広告表示端末装置２０の携帯端末通信管理部２０３に送信する。携帯端末通信管理部２０３は、選択された映画の予告編をスケジュール生成部２０２と広告サーバ１０の広告表示端末通信管理部１０１に送信する。スケジュール生成部１０２は、選択された予告編をすぐに再生するスケジュールを生成し、表示部２０１に送信し、広告表示端末装置２０はそのスケジュールに従って再生を行う。
【００４４】
広告サーバ１０の広告表示端末通信管理部１０１は、選択された映画の予告編を受信すると、ユーザが閲覧している広告表示端末装置２０から一番近くにある、ユーザが選択した映画を上映している映画館を、広告ＤＢ１０４から検索し、その映画館への地図、その映画館での選択された映画の上演スケジュール、その映画館の指定席の予約へのリンクを持つＷｅｂページを生成し、広告表示端末装置２０を通して携帯端末装置３０へ送信する。この図の例を図７に示す。
【００４５】
ユーザは、選択した映画の予告編が広告表示端末装置２０で再生されるので、それを鑑賞した後、映画の内容が気に入ったならば、携帯端末装置３０に図７のように表示されているので、そこから、上演スケジュールのリンクを選択すると、当日の上演スケジュールを見ることができる。また、すぐその場で見る必要はなく、図７のベージを保存しておき、近辺で所用を済ませた後、映画を見る余裕ができたときに参照することも可能である。
【００４６】
上述した第１、第２実施形態によれば、ユーザは駅や街頭に設置された広告表示端末に自分の選択したコンテンツを表示／再生できる上に、ユーザの持つ携帯端末に、その関連情報を表示させることが可能となる。これにより、興味を持った動画広告を大きな画面で見ることができ、かつ、その広告に関する詳細情報を携帯端末でいつでも見ることができ、もしくは、その施設の予約ができることによりユーザの利便性が向上することが期待できる。
【００４７】
【発明の効果】
以上説明したように、本発明によれば、広告端末で、広告情報を取得するためのアクセス先およびアクセスキーを表示し、該広告端末を見たユーザが、携帯端末により、前記アクセス先に基づいてネットワークを介してアクセスし、アクセスキーを入力すると、サーバでは、アクセスキーに基づいて前記広告端末の設置場所および広告内容を特定し、前記設置場所および広告内容に関連する関連情報を、前記広告端末および前記携帯端末に送信するようにしたので、ユーザが公共の場所に設置される広告表示端末をユーザの持つ携帯電話やＰＤＡ等の携帯端末装置で操作することで、広告表示端末には、詳細な地図や映画の予告編などの質の高いコンテンツを表示／再生させ、同時にユーザの携帯端末には、簡易な地図、クーポン券、上演スケジュール、予約用のＷｅｂページヘのリンクなどの各種情報を提供することができるという利点が得られる。
【図面の簡単な説明】
【図１】本発明の第１実施形態による広告情報提供システムの構成を示すブロック図である。
【図２】本第１実施形態による広告サーバ１０の構成例を示すブロック図である。
【図３】本第１実施形態による広告サーバ１０の動作を説明するためのフローチャートである。
【図４】本第１実施形態による広告表示端末の表示例を示す模式図である。
【図５】本第１実施形態による携帯端末の画面表示例を示す模式図である。
【図６】第１、第２実施形態における携帯端末の画面表示例を示す模式図である。
【図７】第１、第２実施形態における携帯端末の画面表示例を示す模式図である。
【図８】本第２実施形態による広告情報提供システムの構成を示すブロック図である。
【図９】本第２実施形態の広告表示端末装置と広告サーバの構成例を示すブロック図である。
【図１０】本第２実施形態における広告表示端末の表示例を示す模式図である。
【符号の説明】
１０　広告サーバ
２０　広告表示端末装置
３０　携帯端末装置
４０　インターネット
１０１　広告表示端末通信管理部
１０２　スケジュール＆アクセスキー生成部
１０３　携帯端末通信管理部
１０４　広告ＤＢ
１０５　ＯＳ
２０１　表示部
２０２　スケジュール生成部
２０３　携帯端末通信管理部
２０４　表示サーバ通信管理部
２０５　ＯＳ
【図１】
2004021919.tif 000003
【図２】
2004021919.tif 000004
【図３】
2004021919.tif 000005
【図４】
2004021919.tif 000006
【図５】
2004021919.tif 000007
【図６】
2004021919.tif 000008
【図７】
2004021919.tif 000009
【図８】
2004021919.tif 000010
【図９】
2004021919.tif 000011
【図１０】
2004021919.tif 000012